(57)【要約】      （修正有）【課題】テレビ台として機能する音声再生装置にカラオケ機能を備えさせ、更に利便性を高めた音声再生装置を提供する。【解決手段】テレビを載置する載置面と、テレビ２からの音声信号を受信するための端子部２ａと、音声信号を出力するためのスピーカー２５と、主電源を投入するための電源スイッチ１３０とを備えた音声再生装置１であって、カラオケ機能をオンにするためのカラオケ用電源部２３と、カラオケ用マイク３を挿脱可能なマイク端子１３３と、カラオケ用電源部２３のオン／オフを制御するためのカラオケ機能制御部２２とを備え、カラオケ機能制御部２２は、マイク端子１３３にカラオケ用マイク３を挿入した時に、カラオケ用電源部２３をオンにする。【選択図】図３
0003166300.tif 000002
【実用新案登録請求の範囲】
【請求項１】
テレビを載置する載置面と、
テレビからの音声信号を受信するための端子部と、
音声信号を出力するためのスピーカーと、
主電源を投入するための電源スイッチと、を備えた音声再生装置であって、
カラオケ機能をオンにするためのカラオケ用電源部と、
カラオケ用マイクを挿脱可能なマイク端子と、
前記カラオケ用電源部のオン／オフを制御するためのカラオケ機能制御部と、を備え、
前記カラオケ機能制御部は、前記マイク端子にカラオケ用マイクを挿入した時に、カラオケ用電源部をオンにすることを特徴とする音声再生装置。
【請求項２】
表示パネルをさらに設け、前記カラオケ機能制御部は、前記カラオケ用電源部がオンなった時に、表示パネルにその旨を表示させることを特徴とする請求項１に記載の音声再生装置。
【請求項３】
前記表示の時間は所定時間であることを特徴とする請求項２に記載の音声再生装置。
【請求項４】
前記カラオケ機能制御部は、前記マイク端子からカラオケ用マイクを抜いた時に、カラオケ用電源部をオフにすることを特徴とする請求項１〜３のいずれか１項に記載の音声再生装置。
【請求項５】
前記マイク端子は複数設けられており、いずれのマイク端子にカラオケ用マイクを挿入しても、カラオケ用電源部がオンになるように制御されることを特徴とする請求項１〜４のいずれか１項に記載の音声再生装置。
【考案の詳細な説明】
【技術分野】
【０００１】
本考案は、テレビを載置する載置面と、テレビからの音声信号を受信するための端子部と、音声信号を出力するためのスピーカーと、主電源を投入するための電源スイッチと、を備えた音声再生装置に関する。
【背景技術】
【０００２】
かかる音声再生装置として、下記特許文献１に開示されるスピーカ内蔵のテレビ台が知られている。このテレビ台は、特に、迫力のある重低音を出すスピーカーをテレビ台に内蔵させ、視聴者が体で振動を感じるような迫力ある音声を楽しむことができる。
【先行技術文献】
【特許文献】
【０００３】
【特許文献１】特開２００１−２６８４７８号公報
【考案の概要】
【考案が解決しようとする課題】
【０００４】
一方、カラオケを楽しむためのカラオケ装置は種々知られているが、それは独立したカラオケ装置であり、家庭用テレビとは全く別個の装置として存在していた。しかし、カラオケ装置を別個に購入するのではなく、既存のテレビシステムにその機能を組み込むことができれば、設置場所も増えることなくユーザーに取って利便性が高まる。
【０００５】
本考案は上記実情に鑑みてなされたものであり、その課題は、テレビ台として機能する音声再生装置にカラオケ機能を備えさせ、更に利便性を高めた音声再生装置を提供することである。
【課題を解決するための手段】
【０００６】
上記課題を解決するため本発明に係る音声再生装置は、
テレビを載置する載置面と、
テレビからの音声信号を受信するための端子部と、
音声信号を出力するためのスピーカーと、
主電源を投入するための電源スイッチと、を備えた音声再生装置であって、
カラオケ機能をオンにするためのカラオケ用電源部と、
カラオケ用マイクを挿脱可能なマイク端子と、
前記カラオケ用電源部のオン／オフを制御するためのカラオケ機能制御部と、を備え、
前記カラオケ機能制御部は、前記マイク端子にカラオケ用マイクを挿入した時に、カラオケ用電源部をオンにすることを特徴とするものである。
【０００７】
この構成による音声再生装置の作用・効果を説明する。この音声再生装置は、スピーカーを内蔵しており、載置されたテレビの音声を再生することができる。音声を再生する時は、主電源を投入するための電源スイッチをオンにする。また、カラオケ機能をオンにするためのカラオケ用電源部は別に設けられており、カラオケを楽しむ時にのみこの機能をオンにすることで、エネルギー消費を抑制している。カラオケを楽しむために、カラオケ用マイクを挿脱可能なマイク端子が設けられており、ここにカラオケ用マイクを挿入すると、これを検出してカラオケ用電源部がオンになる。従って、カラオケ用電源部をオンにするための特別な操作は不要である。ユーザーは、テレビの画面に流れてくるカラオケ画面（歌詞）を見ればよく、マイクの音声はスピーカーにより再生される。以上のように、テレビ台として機能する音声再生装置にカラオケ機能を備えさせ、更に利便性を高めた音声再生装置を提供することができる。
【０００８】
本考案において、表示パネルをさらに設け、前記カラオケ機能制御部は、前記カラオケ用電源部がオンなった時に、表示パネルにその旨を表示させることが好ましい。
【０００９】
カラオケ用電源部がオンになった時に、表示パネルにその旨を表示させることで、ユーザーは、カラオケ機能が使用可能になったことを認識することができる。
【００１０】
本考案において、前記表示の時間は所定時間であることが好ましい。表示は、ユーザーがカラオケ機能が使用可能になったことを認識できればよいので、必要以上に、あるいは、表示したままにしておく必要はない。そこで、表示の時間は所定時間とし、所定時間が経過すれば表示を消すことで、無駄なエネルギー消費を抑制することができる。
【００１１】
本考案に係る前記カラオケ機能制御部は、前記マイク端子からカラオケ用マイクを抜いた時に、カラオケ用電源部をオフにすることが好ましい。
【００１２】
カラオケ用マイクをマイク端子から抜いた時は、カラオケ機能は必要なくなったものと判断できるので、カラオケ用電源部も自動的にオフにすることが好ましい。これにより、無駄なエネルギー消費を抑制することができる。
【００１３】
本考案において、前記マイク端子は複数設けられており、いずれのマイク端子にカラオケ用マイクを挿入しても、カラオケ用電源部がオンになるように制御されることが好ましい。
【００１４】
マイク端子を複数設けることで、同時に複数のユーザーがカラオケを楽しむことができる。この場合、いずれのマイク端子にカラオケ用マイクが挿入されても、カラオケ用電源部がオンになるようにすることで、仮に、１人でカラオケを楽しむ場合であって、いずれのマイク端子にカラオケ用マイクを挿入すべきかを迷わなくても済む。これにより、カラオケ機能の利便性を高めることができる。
【図面の簡単な説明】
【００１５】
【図１】音声再生装置を含む音声再生システムの外観構成を示す斜視図
【図２】操作パネルの構成を示す図
【図３】音声再生装置の制御機能を示すブロック図
【図４】カラオケを楽しむ時のフローチャートを示す図
【考案を実施するための形態】
【００１６】
本考案に係る音声再生装置の好適な実施形態を図面を用いて説明する。図１は、音声再生装置を含む音声再生システムの外観構成を示す斜視図である。
【００１７】
＜音声再生装置の構成＞
図１に示すように、音声再生装置１は、直方体状に形成される本体部１０と、この本体部１０を支持する４本の脚部１１と、底面に設けられる板状の棚部１２により構成される。本体部１０の上面は、テレビ２を載置するための載置面１０ａとして機能する。本体部１０の正面には、操作パネル１３が設けられる。本体部１０には、スピーカーが内蔵されており、正面側には、中高音を出力するための左右一対のスコーカー及びツィータ１４が配置され、不図示の底面側には重低音を出力するためのウーハーが設けられている。
【００１８】
＜操作パネルの構成＞
図２は、操作パネル１３の構成を示す図である。電源スイッチ１３０は、主電源を投入するために設けられ、電源スイッチ１３０を押すことで主電源がオンになり、音声再生装置１を動作させることができる。表示パネル１３１は、アンプ部及びカラオケ部等の種々の情報を表示するための表示部であり、例えば、液晶、ＬＥＤ等により構成される。
【００１９】
ボリュームダイヤル１３２は、これを回転操作することで、スピーカーからの音量を調整することができる。マイク端子１３３は、カラオケ用マイク（以下、単にマイクという）を挿入するためのマイク端子であり、カラオケを楽しむ時は、このマイク端子１３３にマイクを挿入する。必要でないときは、マイクを外しておく。マイク端子１３３は、上下に２つ配置されており、２人でカラオケを楽しむ時は、両方にマイクを挿入すればよい。１人でカラオケを楽しむ時は、いずれかのマイク端子１３３にマイクを挿入すればよい。
【００２０】
マイク調整ダイヤル部１３４には、マイクの音量を調整する２つのダイヤルと、スピーカーからの中高音、低音、及びエコー（ＥＣＨＯ）のレベルを調整するための３つのダイヤルが配置されている。
【００２１】
＜制御機能＞
次に、本実施形態に係る音声再生装置の制御機能について図３のブロック図により説明する。マイク検出部２０は、いずれか一方のマイク端子１３３にマイク３の端子３ａが挿入されたことを検出する。音声処理部２１は、マイク端子１３３から入力された音声信号を処理する。
【００２２】
カラオケ機能制御部２２は、カラオケ用電源部２３のオン／オフを制御する。カラオケ用電源部２３は、マイク端子１３３にマイク１本を挿入したとき、音声処理部２１やマイク調整ダイヤル部１３４を機能させるために給電する。ただし、カラオケを楽しまない時（マイク３を使用しない時）には、不要な機能である。従って、マイク３がマイク端子１３３に挿入されていない時、すなわち、マイク検出部２０がマイク３を検出していない時は、カラオケ用電源部２３をオフにし、無駄なエネルギーの消費を抑制する。
【００２３】
カラオケ機能制御部２２は、表示パネル１３１を制御し、カラオケ用電源部２３がオンになった時に、その旨を表示パネル１３１に所定時間表示させる。表示形態は、種々考えられ、例えば、特定のマークを表示したり、「カラオケＯＮ」のようなテキスト表示をしたりする方法がある。ただし、特定の態様に限定されるものではない。所定時間としては、例えば、５秒、１０秒のような短い時間でよく、所定時間が経過したら表示を消灯させてもよい。
【００２４】
また、カラオケ機能制御部２２は、マイク検出部２０によりマイク３の全てが抜かれたことを検出すると、カラオケ用電源部２３をオフにし、無駄なエネルギー消費を抑制する。なお、マイク３が抜かれたとき、表示パネル１３１に所定の表示を所定時間行ってもよい。
【００２５】
アンプ部２４は、音声処理部２１で処理された音声信号に対して増幅等の処理を行い、スピーカー部２５に送る。また、テレビ２の端子部２ａと、音声再生装置１の端子部１ａは通信線で接続されており、テレビ２から入力されてくる音声信号は、音声処理部２６で処理されて、アンプ部２４に送られ、同様にスピーカー部２５にて再生される。
【００２６】
＜動作＞
次に、音声再生装置１を利用してカラオケを楽しむ時の手順を図４のフローチャートにより説明する。まず、マイク３をマイク端子１３３に挿入する（Ｓ１）。１人で楽しむ時は、いずれかのマイク端子１３３に挿入し、２人で楽しむ時は両方のマイク端子１３３にマイク３を挿入する。
【００２７】
マイク３を挿入することでマイク検出部２０によりマイク装着を検出する（Ｓ２）。これに基づき、カラオケ機能制御部２２は、カラオケ用電源部２３をオンにする（Ｓ３）。これにより、カラオケを楽しむことが可能になり、マイク３から入力された音声信号がスピーカーから出力されるようになる。さらに、表示パネル１３１にカラオケ機能が使用可能になったことが表示される（Ｓ４）。表示は所定時間行われ、その後、消灯する（Ｓ５）。
【００２８】
カラオケは、テレビ２のチャンネルをカラオケ専用のチャンネルに合わすか、通信により受信したカラオケ用の映像をテレビ２に映し出すなどの方法で楽しむことができる。
【００２９】
カラオケが終わった後は、マイク３をマイク端子１３３から全て外す（Ｓ６）。マイク検出部２０は、マイク３が取り外されたことを検出し（Ｓ７）、その後、カラオケ機能制御部２２は、カラオケ用電源部２３をオフにする（Ｓ８）。これにより、エネルギー消費を抑制することができる。
【００３０】
＜別実施形態＞
音声再生装置１に内蔵されるスピーカーの配置構成等は、適宜設定変更が可能である。
【符号の説明】
【００３１】
１        音声再生装置
１ａ      端子部
２        テレビ
２ａ      端子部
３        カラオケ用マイク
３ａ      端子
１０      本体部
１０ａ    載置面
２０      マイク検出部
２１      音声処理部
２２      カラオケ機能制御部
２３      カラオケ用電源部
２４      アンプ部
２５      スピーカー部
１３０    電源スイッチ
１３１    表示パネル
１３３    マイク端子 
【図１】
0003166300.tif 000003
【図２】
0003166300.tif 000004
【図３】
0003166300.tif 000005
【図４】
0003166300.tif 000006